(57)【要約】【課題】採光性のよい宝石の取付構造を提供する。【解決手段】この発明は、ファセットカットされた宝石１の少なくともテーブル１ｃの上面外周縁に押接される爪部３と、該宝石１のキューレット１ａを位置決めして受け止める受け座４と、該受け座４と爪部３とを一体的に連接形成する本体部６とからなり、側面視Ｃ形に形成された保持具２を備え、上記本体部６に吊下げ具８を左右方向に挿通する挿通孔９を設けた保持構造であって、該挿通孔９が宝石の保持状態で前記本体部６の爪部３と受け座４との間で宝石１との対向面間で本体部６に宝石周面が接触せずに露出して宝石１への採光空間となる切欠部からなる。  また、爪部３はテーブル１ｃとクラウン１ｄが交差する断面コーナー部の山形の両面に押接して係止される場合及び挿通孔９がクラウン１ｄのテーブル１ｃ側周縁部に掛かる採光空間を形成される場合もある。【選択図】図１
2018015379.tif 000002
【特許請求の範囲】
【請求項１】
ファセットカットされた宝石（１）の少なくともテーブル（１ｃ）の上面外周縁に押接される爪部（３）と、該宝石（１）のキューレット（１ａ）を位置決めして受け止める受け座（４）と、該受け座（４）と爪部（３）とを一体的に連接形成する本体部（６）とからなり、側面視Ｃ形に形成された保持具（２）を備え、上記本体部（６）に吊下げ具（８）を左右方向に挿通する挿通孔（９）を設けた保持構造であって、該挿通孔（９）が宝石の保持状態で前記本体部（６）の爪部（３）と受け座（４）との間で宝石（１）との対向面間で本体部（６）に宝石周面が接触せずに露出して宝石（１）への採光空間となる切欠部からなるファセットカット宝石の保持構造。
【請求項２】
爪部（３）がテーブル（１ｃ）とクラウン（１ｄ）が交差する断面コーナー部の山形の両面に押接して係止される請求項１に記載のファセットカット宝石の保持構造。
【請求項３】
挿通孔（９）がクラウン（１ｄ）のテーブル（１ｃ）側周縁部に掛かる採光空間を形成してなる請求項１又は２に記載のファセットカット宝石の保持構造。
【請求項４】
挿通孔（９）がパビリオン（１ｂ）のクラウン（１ｄ）側周縁部に掛かる採光空間を形成してなる請求項１又は２又は３に記載のファセットカット宝石の保持構造。
【発明の詳細な説明】
【技術分野】
【０００１】
この発明はファセットカット宝石の保持構造に関し、特に単体の宝石を吊下げてネックレス，イヤリング等の装飾品として利用する場合の採光性を良くするための保持構造に関する。
【背景技術】
【０００２】
従来上記のような装飾品の宝石保持構造としては、側面視Ｃ型の保持具をファセットカット宝石の上部周縁とキューレットに跨って被せ、該保持具にチェンや紐，吊下げリング等の吊下げ具を左右に挿通して保持する構造のものが、特許文献１，２に示すように公知である。
【先行技術文献】
【特許文献】
【０００３】
【特許文献１】特開２００６−１２２６２７号公報
【特許文献２】特開２０１１−１７７４３４号公報
【発明の概要】
【発明が解決しようとする課題】
【０００４】
上記特許文献１のものは、ファセットカット宝石の側面視Ｃ型に形成された保持具の上端の爪部と下端の受け座（支持座）間に宝石を挟持させるものであるが、プレート状の保持具の上部に吊下げ具の挿通孔（吊り孔）を穿設し、宝石を把持する内面はプレート断面が宝石の背面をプレート幅全体で覆う形状になっているほか、保持具の上部が本願添付図面の図３のＨに示すように宝石の上部に向って大きく突出する構造になっている。
【０００５】
このため保持具に覆われている宝石背面は外部光の入光（採光）を妨げられ、さらに突出部Ｈが長いだけ左右方向からの入光も妨げられるほか、保持具が大型となる結果、外観上宝石自体の存在感が弱められる（目立ち難い）結果となる欠点がある。
【０００６】
また特許文献２に示すものでは、細い断面径の保持具１がＣ型に形成され、その上下間に宝石を上部を貫く挿通軸３２が設けられているので、上方及び背面からの採光性には優れているものの、宝石自体に挿通軸３２を通す挿通孔４ａが穿設する必要があるほか、宝石内に挿通軸３２が貫通していることにより、入光した光の射光自体が妨げられるという欠点がある。
【課題を解決するための手段】
【０００７】
上記課題を解決するための本発明の宝石の保持構造は、第１に、ファセットカットされた宝石１の少なくともテーブル１ｃの上面外周縁に押接される爪部３と、該宝石１のキューレット１ａを位置決めして受け止める受け座４と、該受け座４と爪部３とを一体的に連接形成する本体部６とからなり、側面視Ｃ形に形成された保持具２を備え、上記本体部６に吊下げ具８を左右方向に挿通する挿通孔９を設けた保持構造であって、該挿通孔９が宝石の保持状態で前記本体部６の爪部３と受け座４との間で宝石１との対向面間で本体部６に宝石周面が接触せずに露出して宝石１への採光空間となる切欠部からなることを特徴としている。
【０００８】
第２に、爪部３がテーブル１ｃとクラウン１ｄが交差する断面コーナー部の山形の両面に押接して係止されることを特徴としている。
【０００９】
第３に、挿通孔９がクラウン１ｄのテーブル１ｃ側周縁部に掛かる採光空間を形成してなることを特徴としている。
【００１０】
第４に、挿通孔９がパビリオン１ｂのクラウン１ｄ側周縁部に掛かる採光空間を形成してなることを特徴としている。
【発明の効果】
【００１１】
保持された宝石に対し、保持具と対面するクラウンやパビリオンの上部又は上方斜方向からの採光が得られるので、宝石のより多彩な輝きを増すことができるほか、保持具の小型化により軽量化が実現し、採光性もより良くなり、宝石が目立ち易く、コストの低減もできる利点がある。また、吊下げ具の挿通孔も独自に穿設する必要もなく加工コスト低減も実現できる。さらに特許文献２に示す保持構造のように挿通軸や貫通孔を設ける必要もない。
【００１２】
その他挿通孔が大きいために宝石を含めた全体の重心が吊下げた状態で低い（下方）位置になり、吊下げも安定する。
ちなみに特許文献１の図５に示す保持具には、宝石のガードルに対応する位置に、ガードルを保護し且つガードルの把持を確実にするための切欠き凹部１０６が形成されているが、この切欠き凹部は吊下具を通すことや採光を意図したものではなく、またそのような機能もない。
【図面の簡単な説明】
【００１３】
【図１】（Ａ）は本発明の保持構造を示す宝石の吊下げ状態を示す正面図、（Ｂ）は同じくその側面断面図である。
【図２】ハート型の宝石の例を示す宝石の正面図である。
【図３】従来の宝石保持構造の例を示す側面図で、図１（Ｂ），図２との保持具の上下サイズの比較例である。
【発明を実施するための形態】
【００１４】
図１は本発明の１実施形態を示し、アスセットカットされたダイヤモンド等の宝石１に対し、側面視Ｃ型又はフック状に形成された比較的硬質の貴金属からなる保持具２が上部中心から被せられて挟持されている。
【００１５】
保持具２は、上側開放端の爪部３と下側開放端の受け座４及び該爪部３と受け座４とを一体的に連接し、左右方向の厚みを有する背側の本体部６とを備えており、受け座４は下側開放端を爪部３よりさらに下方に延出されており、その中心には宝石１のキューレット１ａを臨ませ、パビリオン１ｂの先端周縁を当接させて受け止める受孔７が穿設されている。
【００１６】
爪部３は図１（Ｂ）に示すように宝石１のテーブル１ｃの上面外周縁とクラウン１ｄとが交差する山形断面のコーナー部に跨って押接されるようにかしめ加工によって形成される。爪部３はこの山形のコーナー周面に押接係止されることが望ましいが、受け座４及び他の支持面との関係でテーブル周縁部に押接されていることが必要である。
【００１７】
本体部６は受け座４と爪部３との間に宝石１を強固に保持するに足りる剛性を備える必要があり、このためには材料選択のほか、前後左右に一定の肉厚を備える必要がある。
【００１８】
本発明においては、保持具２は宝石１のテーブル１ｃの周縁部上部中央からキューレット１ａに至るまで上部，背面を覆うように被さるが、この時の保持具２の宝石１との対向面は、受け座４の受孔７の周縁部と爪部３の内面は共に押接されている。さらに図１に示す例では宝石１のガードル１ｅを頂点とするクラウン１ｄとパビリオン１ｂが交差する山形の外周両面の一部が露出するように保持具２のＣ型断面が円弧状に深く切欠き形成され、この切欠部が装飾品用のチェン，紐類，吊下げ用リング等からなる吊下げ具８を挿通する挿通孔９となっている。図１に示す例では吊下げ具８としてチェン８ａに連結される吊下げ用リング８ｂが示されている。
【００１９】
そして上記挿通孔９は保持具２の本体部６と接触しない宝石１の上面及び斜め上方からの採光空間として確保されている。この採光空間はできるだけ広いほうが望ましいが、保持具２が宝石１を安定的に保持できる本体部６の各部の断面を確保すること等とのバランスによって決定される。挿通孔９内の採光空間はクラウン１ｄの斜面全体に及んでもよく、また図１（Ｂ）の仮想線で示すようにパビリオン１ｂの稜線１／２を越える範囲に及んでもよい。
【００２０】
いずれの場合も宝石１はキューレット１ａとその近傍のパビリオン１ｂの先端外周を位置決め支持する受け座４と、爪部３の間の挟持力によって保持されるので、この挟持（保持）力を確保できる限度内で、挿通孔９、即ち採光空間を広くとることができる。
【００２１】
上記のように構成される本発明の保持構造によれば、保持自体に独立した挿通孔を設けないので、挿通孔を穿設するための余分なスペース、即ち宝石１の上端からの突出長さＨを、図３に示すように突出長さＨよりも短く構成することができるので、保持具２自体を小型化することができる。その結果宝石自体の存在感を大きくしてより目立つ外観にできるほか、斜め上方からの採光範囲を広く取ることができる利点がある。
【００２２】
図２は宝石１のテーブル１ｃがハート型である場合の例を示し、この場合は保持具２の爪部３がハート型の中央に被さることとなるが、図３に示す従来型のものに比してより広い採光範囲を確保し且つ保持具２の宝石上端からの突出長さＨをより多く確保できる点に変わりはない。尚、この例での宝石１のパビリオン及びキューレットの形状と受け座４の形状は図１に示すものと共通の形状に形成されている。図１〜図３における同一符号で示すものはすべて共通の名称と共通の機能部分を示している。
【符号の説明】
【００２３】
１    宝石
１ａ  キューレット
１ｂ  パビリオン
１ｃ  テーブル
１ｄ  クラウン
１ｅ  ガードル
２    保持具
３    爪部
４    受け座
６    本体部
７    受孔
８    吊下げ具
９    挿通孔
Ｈ    本体部の宝石の上端からの突出高さ（長さ）
【図１】
2018015379.tif 000003
【図２】
2018015379.tif 000004
【図３】
2018015379.tif 000005